(57)【要約】【課題】  宅内では公衆回線以外の無線通信にて携帯端末からネットワーク家電を制御操作し、通信料を抑制できるようにした。【解決手段】  このネットワーク家電制御システムは、外部との通信手段を有し、通信手段により受信した制御命令に応じてネットワーク家電３の制御を行う家電機器制御装置２と、家電機器制御装置に接続されたネットワーク家電と、公衆回線の通信手段と公衆回線以外の通信手段とを有し、公衆回線以外の通信手段によって家電機器制御装置に接続可能な携帯端末１と、携帯端末及び家電機器制御装置と公衆回線により接続されたＡＳＰサーバ１１とを備え、携帯端末１は、公衆回線以外の通信手段により家電機器制御装置２に制御命令を送信し、家電機器制御装置に接続されたネットワーク家電３を操作する。【選択図】      図１
2006129184.tif 000002
【特許請求の範囲】
【請求項１】
外部との通信手段を有し、前記通信手段により受信した制御命令に応じてネットワーク家電の制御を行う家電機器制御装置と、前記家電機器制御装置に接続されたネットワーク家電と、公衆回線の通信手段と公衆回線以外の通信手段とを有し、前記公衆回線以外の通信手段によって前記家電機器制御装置に接続可能な携帯端末と、前記携帯端末及び家電機器制御装置と公衆回線により接続されたＡＳＰサーバとを備え、
前記携帯端末は、前記公衆回線以外の通信手段により家電機器制御装置に制御命令を送信し、前記家電機器制御装置に接続された前記ネットワーク家電を操作するネットワーク家電制御アプリケーションソフトウェアを保存していることを特徴とするネットワーク家電制御システム。
【請求項２】
前記携帯端末の公衆回線以外の通信手段は、電波を利用した無線通信手段であることを特徴とする請求項１に記載のネットワーク家電制御システム。
【請求項３】
前記ＡＳＰサーバはユーザ情報を登録したユーザ情報データベースを有し、前記携帯端末から当該ＡＳＰサーバへのアクセス時に当該ユーザ情報データベースを検索してログインユーザを特定することを特徴とする請求項１に記載のネットワーク家電制御システム。
【請求項４】
前記ＡＳＰサーバは、前記携帯端末からの最初のログイン時に当該携帯端末の固有情報を保存し、２回目以降のログイン時には当該携帯端末の固有情報を用いてユーザを特定することを特徴とする請求項３に記載のネットワーク家電制御システム。
【請求項５】
前記ＡＳＰサーバは、予め前記家電機器制御装置の少なくともネットワークアドレスを含む接続情報を保存しており、当該接続情報を必要に応じて前記携帯端末にダウンロードし、当該接続情報を用いて当該携帯端末と家電機器制御装置とを接続させることを特徴とする請求項３に記載のネットワーク家電制御システム。
【請求項６】
前記ＡＳＰサーバは、予め前記家電機器制御装置に接続しているネットワーク家電の少なくともネットワークアドレスを含む接続情報を保存しており、当該接続情報を必要に応じて前記携帯端末にダウンロードし、当該接続情報を用いて当該携帯端末に前記ネットワーク家電の操作を行わせることを特徴とする請求項３に記載のネットワーク家電制御システム。
【請求項７】
前記携帯端末に保存するネットワーク家電制御アプリケーションソフトウェアは、書き換え可能であることを特徴とする請求項１に記載のネットワーク家電制御システム。
【請求項８】
前記携帯端末に保存されているネットワーク家電制御アプリケーションソフトウェアは、メモリカード等の物理媒体にて供給されたものを読み込んだものであることを特徴とする請求項７に記載のネットワーク家電制御システム。
【請求項９】
前記携帯端末に保存されているネットワーク家電制御アプリケーションソフトウェアは、前記ＡＳＰサーバに保存されていて、前記公衆回線を通じて当該携帯端末にダウンロードされたものであることを特徴とする請求項７に記載のネットワーク家電制御システム。
【請求項１０】
前記ＡＳＰサーバは、特定の携帯端末に対して前記ネットワーク家電制御アプリケーションソフトウェアのダウンロード時にダウンロードしたアプリケーションソフトウェアのバージョン情報を当該携帯端末の固有情報と対応させて保存し、当該アプリケーションソフトウェアの再ダウンロード時に前記バージョン情報を比較し、アプリケーションソフトウェアの二重ダウンロードを抑制することを特徴とする請求項９に記載のネットワーク家電制御システム。
【発明の詳細な説明】
【技術分野】
【０００１】
本発明は、携帯端末によるネットワーク家電制御が可能なネットワーク家電制御システムに関する。
【背景技術】
【０００２】
家電機器及び住宅設備機器の集中コントロールシステムとして、従来、予め家電製品の制御命令がインストールされた多機能リモコン等の専用端末を使用して制御するシステムがある。また、インターネット接続機能を有する携帯電話の普及に伴い、インターネットを利用したネットワーク家電制御システムにおいて、携帯電話をユーザインターフェース端末とし、宅外、宅内を問わず、ネットワーク家電の制御を行うネットワーク家電制御システムがある。しかしながら、後者の従来のネットワーク家電制御システムでは、宅内／宅内を問わず通信回線として公衆回線を使用するため、宅内制御においてもインターネット接続料金の負担をユーザに強いる問題点があった。
【発明の開示】
【発明が解決しようとする課題】
【０００３】
本発明は、このような従来の技術的課題に鑑みてなされたもので、公衆回線と公衆回線以外との両方の無線通信機能を持つ携帯端末を利用し、宅内制御時にはインターネット接続料金のかからない無線通信にてネットワーク家電を制御操作することができるネットワーク家電制御システムを提供することを目的とする。
【課題を解決するための手段】
【０００４】
請求項１の発明のネットワーク家電制御システムは、外部との通信手段を有し、前記通信手段により受信した制御命令に応じてネットワーク家電の制御を行う家電機器制御装置と、前記家電機器制御装置に接続されたネットワーク家電と、公衆回線の通信手段と公衆回線以外の通信手段とを有し、前記公衆回線以外の通信手段によって前記家電機器制御装置に接続可能な携帯端末と、前記携帯端末及び家電機器制御装置と公衆回線により接続されたＡＳＰサーバとを備え、前記携帯端末は、前記公衆回線以外の通信手段により家電機器制御装置に制御命令を送信し、前記家電機器制御装置に接続された前記ネットワーク家電を操作するネットワーク家電制御アプリケーションソフトウェアを保存していることを特徴とするものである。
【０００５】
請求項２の発明は、請求項１のネットワーク家電制御システムにおいて、前記携帯端末の公衆回線以外の通信手段は、電波を利用した無線通信手段であることを特徴とするものである。
【０００６】
請求項３の発明は、請求項１のネットワーク家電制御システムにおいて、前記ＡＳＰサーバはユーザ情報を登録したユーザ情報データベースを有し、前記携帯端末から当該ＡＳＰサーバへのアクセス時に当該ユーザ情報データベースを検索してログインユーザを特定することを特徴とするものである。
【０００７】
請求項４の発明は、請求項３のネットワーク家電制御システムにおいて、前記ＡＳＰサーバは、前記携帯端末からの最初のログイン時に当該携帯端末の固有情報を保存し、２回目以降のログイン時には当該携帯端末の固有情報を用いてユーザを特定することを特徴とするものである。
【０００８】
請求項５の発明は、請求項３のネットワーク家電制御システムにおいて、前記ＡＳＰサーバは、予め前記家電機器制御装置の少なくともネットワークアドレスを含む接続情報を保存しており、当該接続情報を必要に応じて前記携帯端末にダウンロードし、当該接続情報を用いて当該携帯端末と家電機器制御装置とを接続させることを特徴とするものである。
【０００９】
請求項６の発明は、請求項３のネットワーク家電制御システムにおいて、前記ＡＳＰサーバは、予め前記家電機器制御装置に接続しているネットワーク家電の少なくともネットワークアドレスを含む接続情報を保存しており、当該接続情報を必要に応じて前記携帯端末にダウンロードし、当該接続情報を用いて当該携帯端末に前記ネットワーク家電の操作を行わせることを特徴とするものである。
【００１０】
請求項７の発明は、請求項１のネットワーク家電制御システムにおいて、前記携帯端末に保存するネットワーク家電制御アプリケーションソフトウェアは、書き換え可能であることを特徴とするものである。
【００１１】
請求項８の発明は、請求項７のネットワーク家電制御システムにおいて、前記携帯端末に保存されているネットワーク家電制御アプリケーションソフトウェアは、メモリカード等の物理媒体にて供給されたものを読み込んだものであることを特徴とするものである。
【００１２】
請求項９の発明は、請求項７のネットワーク家電制御システムにおいて、前記携帯端末に保存されているネットワーク家電制御アプリケーションソフトウェアは、前記ＡＳＰサーバに保存されていて、前記公衆回線を通じて当該携帯端末にダウンロードされたものであることを特徴とするものである。
【００１３】
請求項１０の発明は、請求項９のネットワーク家電制御システムにおいて、前記ＡＳＰサーバは、特定の携帯端末に対して前記ネットワーク家電制御アプリケーションソフトウェアのダウンロード時にダウンロードしたアプリケーションソフトウェアのバージョン情報を当該携帯端末の固有情報と対応させて保存し、当該アプリケーションソフトウェアの再ダウンロード時に前記バージョン情報を比較し、アプリケーションソフトウェアの二重ダウンロードを抑制することを特徴とするものである。
【発明の効果】
【００１４】
本発明によれば、公衆回線と公衆回線以外との両方の無線通信機能を持つ携帯端末を利用し、宅外からインターネットを通じてネットワーク家電を制御操作することができ、また宅内ではインターネット接続料金のかからない無線通信にてネットワーク家電を制御操作することができ、公衆回線の通信料金が節約できる。
【００１５】
また本発明によれば、携帯端末と目的の家電機器制御装置の接続設定を行わなくとも、自動的に家電制御装置との接続が可能であり、ネットワーク家電の種類が変更になってもアプリケーションソフトウェアを変更することでネットワーク家電の制御が可能となる。
【００１６】
さらに本発明によれば、ネットワーク家電の制御アプリケーションソフトウェアを販売店による販売やネットワーク機器への同梱することが可能であり、またネットワーク家電の制御アプリケーションソフトウェアのウェブ販売も可能で、アップグレード等も容易にできる。
【発明を実施するための最良の形態】
【００１７】
以下、本発明の実施の形態を図に基づいて詳説する。図１は本発明の１つの実施の形態のネットワーク家電制御システムの構成図である。宅内には、インターネットブロードバンド網に接続されたネットワーク家電制御装置であるＩＴホームゲートウェイ２が据え付けられている。このＩＴホームゲートウェイ２には、例えばＥＣＨＯＮＥＴ（登録商標）に代表されるような家電製品の制御ソフトウェアが内蔵されており、インターネットや宅内ネットワーク経由にて家電製品の制御コマンドが送信されると、ＩＴホームゲートウェイ２に接続されたネットワーク家電３は、この制御コマンドに従って動作する。
【００１８】
ネットワーク家電３は、Ｅｔｈｅｒｎｅｔ（登録商標）、Ｂｌｕｅｔｏｏｔｈ（登録商標）、無線ＬＡＮといった有線もしくは無線通信媒体によって接続されており（本実施の形態では、Ｂｌｕｅｔｏｏｔｈにより接続されている）、ＩＴホームゲートウェイ２より規定された制御コマンドを受け取ることにより所望の動作を行う。携帯端末１には、通常電話回線として使用する公衆回線の他に、Ｂｌｕｅｔｏｏｔｈ、無線ＬＡＮ、ＩｒＤＡといった公衆回線以外の第２の通信手段１０１を有しており、この第２の通信手段１０１によって、ＩＴホームゲートウェイト２と接続されている。
【００１９】
また、宅外にはインターネットに接続されたＡＳＰ（Ａｐｐｌｉｃａｔｉｏｎ  Ｓｅｒｖｉｃｅ  Ｐｒｏｖｉｄｅｒ）サーバ１１があり、携帯端末１及び、インターネット接続されたＰＣ等から接続可能である。また、ＡＳＰサーバ１１にはユーザ情報データベース（ＤＢ）１３が設置されている。このデータベース１３には、予めユーザ登録によってユーザ情報が登録されており、ＡＳＰサーバ１１へのログインＩＤやパスワード等のユーザ情報、ＩＴホームゲートウェイ２のネットワークアドレス（ＭＡＣアドレス）等のＩＴホームゲートウェイ２の設定情報、ＩＴホームゲートウェイ２に接続されたネットワーク家電３のネットワークアドレスや種類、型名といったネットワーク家電３の設定情報が保存されている。これらの登録情報はリレーショナルデータベース等によってデータベース管理されていて、ログインＩＤによってユーザを特定することができれば、それに基づきＩＴホームゲートウェイ２の設定情報やネットワーク家電３の設定情報に容易にアクセスできる。ＡＳＰサーバ１１は各社各種のネットワーク家電３の制御アプリケーションソフトウェアを保持する家電アプリケーションデータベース１２も管理している。
【００２０】
図２にネットワーク家電制御アプリケーションソフトウェアのＡＳＰサーバ１１からのダウンロードシーケンスを示す。まず、インターネット接続可能な携帯端末１からＡＳＰサーバ１１のダウンロードページにアクセスする。このとき、ＡＳＰサーバ１１は携帯電話の端末ＩＤを取得する（ステップＳＱ１０１）。そして、ＡＳＰサーバ１１は予め保存されたユーザ情報ＤＢ１３を参照し（ステップＳＱ１０２）、既に同一の端末ＩＤが存在すれば、アクセスユーザを特定し、ネットワーク家電制御アプリケーションソフトウェアのダウンロード処理へ進む（ステップＳＱ１０３）。また同一ＩＤが存在しなければ、新規ユーザと判断し、ログイン画面を送信し（ステップＳＱ１０４）、ユーザにＡＳＰサーバ１１へのユーザＩＤとパスワードの入力を促す（ステップＳＱ１０５）。そして、ログインに成功した場合、本端末ＩＤをユーザ情報ＤＢ１３に保存する（ステップＳＱ１０６）。このように、端末ＩＤによるユーザチェックをかけることにより、以降のログイン時にユーザＩＤとパスワード入力を省くことができる。
【００２１】
ネットワーク家電アプリケーションソフトウェアのダウンロード処理は、まず、ＡＳＰサーバ１１のネットワーク家電制御アプリケーションＤＢ１２に登録されている、すでにダウンロードされたアプリケーションソフトウェアのバージョンチェックを行う（ステップＳＱ１０７）。もし、アプリケーションソフトウェアのダウンロードが新規であるか若しくはダウンロードされているアプリケーションソフトウェアのバージョンが最新版でなければダウンロード処理を開始する（ステップＳＱ１０８）。一方、ダウンロードされたアプリケーションソフトウェアのバージョンが最新版であれば、ユーザにその旨を通知し（ステップＳＱ１０９）、ユーザによりダウンロードを判断させる（ステップＳＱ１１０）。そしてユーザがダウンロードを要求しなかった場合はそのまま終了となる（ステップＳＱ１１１）。ネットワーク家電制御アプリケーションソフトウェアをダウンロードした後は（ステップＳＱ１１３）、ＡＳＰサーバ１１側ではアプリケーションソフトウェアのバージョン情報を保存し（ステップＳＱ１１４）、携帯電話１側ではダウンロードしたアプリケーションソフトウェアを保存して終了する（ステップＳＱ１１５）。
【００２２】
このようにダウンロードしたアプリケーションソフトウェアのバージョン履歴を携帯電話１毎に管理することにより、同じバージョンの不必要な二重ダウンロードを防止することができ、携帯電話のインターネット接続費用を軽減することが可能となる。なお、これらの処理は個人情報の送受信をインターネット上で行うことから、ＳＳＬに代表されるような暗号化通信を行うことが望ましい。
【００２３】
図３に携帯電話１のネットワーク家電制御アプリケーションソフトウェアのダウンロード処理時のユーザインターフェース画面の一例を示す。図３（ａ）はログイン画面であり、この画面からログインをすると図３（ｂ）のページに進む。ここで「□□リモコン」ボタンを選択すると図３（ｃ）の画面へと進む。図３（ｃ）画面には「１．□□リモコンとは」、「２．利用規約」、「３．□□リモコンダウンロード」の３つの選択肢があり、「１．□□リモコンとは」を選択すると図３の（ｄ）へ、「２．利用規約」を選択すると図３（ｅ）へ、「３．□□リモコンダウンロード」を選択すると図３（ｆ）へとそれぞれ進む。ここで図３（ｆ）の「ダウンロード」ボタンを選択することによりダウンロードサービスを開始し、ＡＳＰサーバ１１は端末ＩＤの保存を行う。
【００２４】
図４は家電機器制御装置の接続情報と、ネットワーク家電の接続情報のダウンロードシーケンス図である。ネットワーク家電制御アプリケーションを起動すると（ステップＳＱ２０１）、前述の設定情報が携帯電話１内に保存されているか否かのチェックを行う（ステップＳＱ２０２）。設定情報が保存されていれば、自動的に所望のＩＴホームゲートウェイ２に接続要求を出すが（ステップＳＱ２０３）、設定情報が無ければＡＳＰサーバに設定情報のダウンロード要求を行う。このとき、端末ＩＤも同時に送信する（ステップＳＱ２０４）。
【００２５】
設定情報のダウンロード要求を受け取ったＡＳＰサーバ１１は、端末ＩＤからアクセスユーザを特定し、これをキーとしてユーザ情報ＤＢ１３に家電機器制御装置としてＩＴホームゲートウェイ２の接続情報とネットワーク家電３の接続情報の問い合わせを行い、設定情報を定められた書式に従って生成する（ステップＳＱ２０５）。本設定情報には、ネットワークアドレス（ＭＡＣアドレス）に代表されるような、携帯電話１がＩＴホームゲートウェイ２に自動接続するために必要な情報と、ネットワーク家電制御コマンドの送信に必要な情報が含まれる。そして、本設定情報を携帯電話１に送信し（ステップＳＱ２０６）、携帯電話１はこれを自身に保存し（ステップＳＱ２０７）、次回以降の自動接続設定情報として用いる。
【００２６】
通常ネットワーク接続のためには、接続先の情報を手動にて入力する必要があるが、本実施の形態のネットワーク家電制御システムによればこの手動入力の手間を削減でき、特に入力インターフェースに制限のある携帯電話にとっては、非常に有用な手段である。
【００２７】
次にＩＴホームゲートウェイ２に接続要求を送信すると（ステップＳＱ２０８）、Ｂｌｕｅｔｏｏｔｈ通信路のセキュリティ確保のため、ＰＩＮコード（パスキー）入力を求められ（ステップＳＱ２０９）、これを入力し（ステップＳＱ２１０）、接続を完了後（ステップＳＱ２１１）、ネットワーク家電制御アプリケーションソフトウェアのＧＵＩ画面が表示される（ステップＳＱ２１２）。このときに、ＩＴホームゲートウェイ２に対するＢｌｕｅｔｏｏｔｈパスキーを携帯電話１に保存することにより、次回起動時には、Ｂｌｕｅｔｏｏｔｈパスキー入力の手間も省くことが可能である。
【００２８】
その後ユーザによる操作が行われ（ステップＳＱ２１３）、ユーザが携帯電話１から制御コマンドをＩＴホームゲートウェイ２に送信すると（ステップＳＱ２１４）、ＩＴホームゲートウェイ２はネットワーク家電３に制御コマンドを送信し（ステップＳＱ２１５）、ネットワーク家電３は制御結果を応答し（ステップＳＱ２１６）、ＩＴホームゲートウェイ２は携帯電話１にこの結果を送信する（ステップＳＱ２１７）。
【００２９】
図５は設定情報チェックで設定情報がない場合のＩＴホームゲートウェイの接続情報と、ネットワーク家電の接続情報をダウンロード処理する際の携帯電話１のユーザインターフェース画面の一例を示す図である。図５（ａ）で「□□リモコン」アイコンを選択して「起動」ボタンを選択すると、図５（ｂ）画面へと進み、「ＯＫ」ボタンを選択すると図５（ｃ）のダウンロード中の画面、図５（ｄ）のダウンロード完了画面へと進む。図５（ｄ）で「ＯＫ」ボタンを選択すると図５（ｅ）のＩＴホームゲートウェイパスキー入力画面へと進み、この画面に対してパスキーを入力して「接続」ボタンを選択すると図５（ｆ）、（ｇ）へと進む。図５（ｇ）で「ＯＫ」ボタンを選択すると図５（ｈ）のリモコン画面に切り替わる。
【００３０】
図６は設定情報のダウンロード失敗時のユーザインターフェース画面の一例を示す図である。図６（ａ）は図５（ｃ）の画面と同一であり、設定情報のダウンロードに失敗すると図６（ｂ）の画面へと進み、ここで画面内の「１．再ダウンロード」を選択すると再び図６（ａ）画面へと戻り、「２．アプリを終了」を選択するとネットワーク家電アプリケーションソフトウェアが終了する。
【００３１】
図７はＩＴホームゲートウェイ接続失敗時のユーザインターフェース画面の一例を示す図である。図７（ａ）は図５（ｆ）の画面と同一であり、ＩＴホームゲートウェイ２への接続に失敗すると図７（ｂ）の画面へと進み、ここで画面内の「１．再接続」を選択すると再び図７（ａ）画面へと戻り、「２．アプリを終了」を選択するとアプリケーションソフトウェアが終了する。
【００３２】
図８は設定情報チェックで設定情報がある場合の携帯電話１のユーザインターフェース画面の一例を示す図である。図８（ａ）は図５（ａ）と同一の画面であり、図８（ａ）で「□□リモコン」アイコンを選択して「起動」ボタンを選択すると、図８（ｂ）の「ＩＴホームゲートウェイに接続中」のダイアログに直接進む。その後は図５（ｇ）、（ｈ）と同様である。また、ＩＴホームゲートウェイに接続失敗した場合は図７（ａ）、（ｂ）と同様である。
【００３３】
図９はネットワーク家電制御アプリケーションソフトフェアについて、携帯電話１のディスプレイに表示されるエアコン制御のためのユーザインターフェース画面の一例である。表示領域ＲＧ１で現在の設定状況などを確認し、操作領域ＲＧ２で操作を選択する。
【００３４】
以上のように本発明の実施の形態では、携帯電話１にて宅内制御を行うときには、公衆回線を利用しないのでランニングコストが安価である。また通常の赤外線通信では、見通せることが必要であるが、Ｂｌｕｅｔｏｏｔｈその他の電波を利用することにより他の部屋のネットワーク家電も制御することができる。また、ＡＳＰサーバ１１へのアクセス時にユーザを特定することにより、使用者のシステム環境に適合した情報を送信することができる。また、携帯電話１の端末固有情報をＡＳＰサーバ１１側で保存することにより、２回目以降のログイン時には、ユーザＩＤ／パスワードを入力せずともユーザを識別することが可能である。さらに、携帯電話１と目的のＩＴホームゲートウェイ２との接続設定を行わなくとも、自動的に携帯電話１を目的のＩＴホームゲートウェイ２と接続させることができ、また携帯電話１と目的のネットワーク家電３との接続設定を行わなくとも、ネットワーク家電３の制御信号の送信が可能である。
【００３５】
さらに、本実施の形態では、目的とするネットワーク家電３の種類が変更になってもネットワーク家電制御アプリケーションソフトウェアを変更することにより、ネットワーク家電の制御が可能であり、またそのネットワーク家電制御アプリケーションソフトウェアは家電販売店により販売させたりネットワーク家電へ同梱することが可能であり、さらに、ネットワーク家電制御アプリケーションソフトウェアをウェブ上で販売することも可能であり、アップグレード等も容易になる。
【００３６】
加えて、本実施の形態によれば、ネットワーク家電制御アプリケーションソフトウェアの不必要な二重ダウンロードを防止することができ、この点でのインターネット接続料金の節約も可能となる。
【００３７】
なお、上記の実施の形態では携帯電話１を携帯端末として例示したが、公衆回線と公衆回線以外の両方の通信機能を備えた携帯端末であれば携帯電話と同等の機能を備えたその機器であってもかまわない。
【図面の簡単な説明】
【００３８】
【図１】本発明の１つの実施の形態のネットワーク家電制御システムのブロック図。
【図２】上記実施の形態において、ＡＳＰサーバと携帯電話との間で実行されるネットワーク家電制御アプリケーションソフトウェアのバージョン管理、ダウンロード手順を示すシーケンス図。
【図３】上記ネットワーク家電制御アプリケーションソフトウェアのダウンロード処理時の携帯電話のＧＵＩ画面の遷移を示す説明図。
【図４】上記実施の形態において、ＡＳＰサーバ、携帯電話、ＩＴホームゲートウェイ、ネットワーク家電の間で実行されるネットワーク家電制御処理のシーケンス図。
【図５】設定情報チェックで設定情報がない場合のＩＴホームゲートウェイの接続情報とネットワーク家電の接続情報をダウンロード処理する際の携帯電話のＧＵＩ画面の遷移を示す説明図。
【図６】設定情報のダウンロード失敗時の携帯電話のＧＵＩ画面の遷移を示す説明図。
【図７】ＩＴホームゲートウェイ接続失敗時の携帯電話のＧＵＩ画面の遷移を示す説明図。
【図８】設定情報チェックで設定情報がある場合の携帯電話のＧＵＩ画面の遷移を示す説明図。
【図９】携帯電話のディスプレイに表示されるエアコン制御のためのＧＵＩ画面を示す説明図。
【符号の説明】
【００３９】
１  携帯電話
２  ＩＴホームゲートウェイ
３  ネットワーク家電
４  モデム
１１  ＡＳＰサーバ
１２  ネットワーク家電制御アプリケーションデータベース
１３  ユーザ情報データベース
【図１】
2006129184.tif 000003
【図２】
2006129184.tif 000004
【図３】
2006129184.tif 000005
【図４】
2006129184.tif 000006
【図５】
2006129184.tif 000007
【図６】
2006129184.tif 000008
【図７】
2006129184.tif 000009
【図８】
2006129184.tif 000010
【図９】
2006129184.tif 000011